【事件の表示】
　特願２０１４−５２０５５６「改善された光学系を備えているオプトエレクトロニクスモジュール」拒絶査定不服審判事件〔平成２５年　１月２４日国際公開，ＷＯ２０１３／０１０６３４，平成２６年　８月２５日国内公表，特表２０１４−５２１２２７，請求項の数（１７）〕について，次のとおり審決する。
【結　論】
　原査定を取り消す。
　本願の発明は，特許すべきものとする。
【理　由】
１　手続の経緯
　本願は，２０１２年７月５日（パリ条約による優先権主張外国庁受理２０１１年７月１８日，ドイツ）を国際出願日とする出願であって，平成２７年１１月２４日付けで拒絶理由が通知され，平成２８年２月２９日に手続補正がされ，同年７月７日付けで拒絶理由が通知され，同年１０月１８日に手続補正がされ，同年１１月３０日付け（同年１２月５日送達）で拒絶査定がされ，これに対して平成２９年４月４日に審判請求がされたものである。
２　本願発明
　本願の請求項１〜１７に係る発明は，平成２８年１０月１８日にされた手続補正により補正された特許請求の範囲の請求項１〜１７に記載されている事項により特定されるとおりのものであり，そのうち請求項１に係る発明（以下「本願発明１」という。）は，特許請求の範囲の請求項１に記載されている事項により特定される以下のとおりのものである。
「【請求項１】
　オプトエレクトロニクスモジュール（１１０）において，
　前記オプトエレクトロニクスモジュール（１１０）は，支持体（１１４）と，該支持体（１１４）上に配置されている複数のオプトエレクトロニクスコンポーネント（１１６）と，前記支持体（１１４）上に被着されている少なくとも一つの光学系（１２０）とを含み，
　前記支持体（１１４）は面状に形成されており，
　前記光学系（１２０）は，前記オプトエレクトロニクスコンポーネント（１１６）に隣接している少なくとも一つの一次光学系（１２４）及び少なくとも一つの二次光学系（１３８）を有し，
　前記複数のオプトエレクトロニクスコンポーネント（１１６）は一次元又は二次元のアレイ（１１８）状に配置されており，
　各オプトエレクトロニクスコンポーネント（１１６）に，前記一次光学系（１２４）に含まれている一つの一次光学素子（１２６）が対応付けられており，
　前記オプトエレクトロニクスコンポーネント（１１６）及び前記一次光学素子（１２６）はそれぞれ一つの光学軸（１３４，１３６）を有し，
　前記光学軸（１３４，１３６）は，
−前記光学軸（１３４，１３６）の配向が前記アレイ（１１８）内で変化する，
−前記光学軸（１３４，１３６）が相互に傾斜している，
の少なくとも一方の特徴を有するように相互に配向されており，
　前記二次光学系（１３８）は，前記複数のオプトエレクトロニクスコンポーネント（１１６）と，前記複数のオプトエレクトロニクスコンポーネント（１１６）に対応付けられ且つ前記一次光学系（１２４）に含まれている前記一次光学素子（１２６）とに対応付けられている二次光学素子（１４０）を含み，
　前記一次光学素子（１２６）の方向特性が前記アレイ（１１８）内で変化する，
ことを特徴とする，オプトエレクトロニクスモジュール（１１０）。」
３　原査定の理由の概要
　原査定（平成２８年１１月３０日付け拒絶査定）の概要は次のとおりである。
　引用例１及び引用例２には，それぞれ本願発明１に係る「支持体（１１４）」，「複数のオプトエレクトロニクスコンポーネント（１１６）」，「一次光学系（１２４）」及び「二次光学系（１３８）」を備えるものが示されているところ，引用例３には，周辺にあるＬＥＤほどＬＥＤとレンズの光軸のずれ量を大きくする技術が示されているから，当該技術を上記引用例１または２に記載されたものに適用して，本願発明１を構成することは当業者が適宜になし得たことであって，ここで，「一次光学素子の方向特性が前記アレイ（１１８）内で変化する」ことについて，本願明細書においては，発光素子の軸と一次光学素子の軸を互いにずらした構造が示されていることに鑑みると，引用例３に係る上記技術は，「一次光学素子の方向特性が前記アレイ（１１８）内で変化する」ものに相当するといえる，
　というものである。
−−−＜　引用例等一覧＞−−−−−−−−
１　特開２００５−２９４７８６号公報
２　再公表特許第２００５／０７３６２１号
３　特開２０１０−２７２８５８号公報
４　特開２０１１−１１４２２２号公報
−−−−−−−−−−−−−−−−−−−−
　ここで，上記引用例１〜４は，本願の優先日前に日本国内において頒布された刊行物である。
４　引用例に記載された発明
（１）引用例１に記載された発明
ア　引用例１には，図１ないし図６とともに以下の記載がある（下線は当審で付した。以下同様。）。
「【請求項１】
透明樹脂により発光ダイオード素子が発する光の光軸に対して同心円的に凸レンズ部を構成し，更にその周囲に反射面を配置したことを特徴とするチップ型発光ダイオード
【請求項２】
　・・・（中略）・・・
【請求項４】
前記発光ダイオード素子が２個以上の多数個を直線に搭載され，発光ダイオード素子と同数の前記凸レンズ部と，同数の前記反射面を配置したことを特徴とする請求項１記載のチップ型発光ダイオード
【請求項５】
　・・・（中略）・・・
【０００４】
　しかしながら，以上の技術によれば，図１０に示したように，発光ダイオード素子５から天面へ放出される光線１２は屈折により光の発散と全反射という光の損失が生じてしまうといった問題があった。
　そこで，本発明は，発光ダイオード素子５から天面へ放出される光線１２の発散と全反射を防ぎ，更に光線１２の指向特性の調整が可能であり，光の利用効率高い発光ダイオードを提供することにある。
【課題を解決するための手段】
【０００５】
　以上の課題を解決するために，本発明の請求項１に係るチップ型発光ダイオードは，発光ダイオード素子が発する光の光軸に対して同心円的に凸レンズ部を構成し，更にその周囲に反射面を配置したことを特徴とする。
【０００６】
　・・・（中略）・・・
【００１１】
　以上説明したように，本発明に係るチップ型発光ダイオードによれば，透明樹脂により発光ダイオード素子が発する光の光軸に対して同心円的に凸レンズ部を構成し，更にその周囲に反射面を配置したことで，凸字状レンズにより，発光ダイオード素子から天面へ放出される光線の発散と全反射を防ぎ，曲面或は傾斜面の反射面により，光線の指向特性の調整が可能であり，光の集光性を高め，利用効率高い発光ダイオードができる。
【発明を実施の形態】
【００１２】
　以下，添付図面に基づいて本発明に係るチップ型発光ダイオードの実施形態を詳細に説明する。図１，図２示した第１実施形態に係るチップ型発行ダイオードにおいて，図１はチップ型発行ダイオードの外観形状を示した斜視図，図２は図１におけるＡ−Ａに沿った断面図又は光路図である。
【００１３】
　図１，図２を参照すると，本発明に係るチップ型発光ダイオードの一実施形態が符号１３で示されており，
このチップ型発光ダイオード１３は，プリント基板７上面に内部接続電極８，９が左右形成されている。その内部接続電極８，９はプリント基板７の左右側面と裏面左右側に外部接続電極１０，１１それぞれと接続されている
【００１４】
　
前記内部接続電極８の上面には発光部としての発光ダイオード素子５が載置され，その下面電極が導電性接着剤（図示せず）を介して固着されている
【００１５】
　
前記発光ダイオード素子５及びボンディングワイヤー６は，プリント基板７上面に設けられた樹脂封止体２によって被覆されている。この樹脂封止体２は，発光ダイオード素子５の光軸に対して同心円的に凸字状レンズ（樹脂封止体２）に形成されたもの
樹脂封止体２（凸字状レンズ）によって，発光ダイオード素子５から天面へ放出される光線１２の発散と全反射を防ぎ，更に光線１２の指向特性の調整が可能である
【００１６】
　前記
樹脂封止体２の周囲に反射面３を配置し，反射面３の曲面の曲率或は傾斜面の角度によって，反射光線１２の指向性の調整ができる
【００１７】
　・・・（中略）・・・
【００１８】
　図５，図６は本発明に係るチップ型発光ダイオードの第２実施形態（３個発光素子搭載例）を示したものである。
このチップ型発光ダイオード１３ｂは，発光ダイオード素子５ａ，５ｂ，５ｃは等距離直線に搭載され，それぞれのレンズ，反射面を有していることで，発光ダイオード素子５ａ，５ｂ，５ｃが発する光はそれぞれのレンズと反射面で制御し
イ　ここで，図５及び図６は以下のものである。
ウ　上記アの段落【００１３】〜【００１６】に記載された事項は，段落【００１８】においても同様であることは明らかである。
イ　前記ア〜ウから，引用例１には，図５及び図６に記載されたものに関して，以下の発明（以下「引用発明１」という。）が記載されているものと認められる。
「チップ型発光ダイオードであって，
　プリント基板上面に内部接続電極形成され，前記内部接続電極の上面には発光部としての発光ダイオード素子が載置され，固着されており，
　前記発光ダイオード素子は，プリント基板上面に設けられた樹脂封止体によって被覆され，前記樹脂封止体により，発光ダイオード素子が発する光の光軸に対して同心円的に凸レンズ部を構成し，更にその周囲に反射面が配置され，
　前記発光ダイオード素子が２個以上の多数個を直線に搭載され，前記発光ダイオード素子と同数の前記凸レンズ部と，同数の前記反射面が配置され，
　前記各発光ダイオード素子は等距離直線に搭載され，それぞれの凸レンズ部，反射面を有していることで，前記各発光ダイオード素子が発する光はそれぞれの凸レンズ部と反射面で制御される，
チップ型発光ダイオード。」
（２）引用例２に記載された事項
ア　引用例２の第１７ページ以降には，図３ないし図６とともに以下の記載がある。
「【００３８】
　以下，図面を参照しながら，本発明によるＬＥＤ照明光源の実施形態を説明する。以下の図面においては，説明の簡潔化のため，実質的に同一の機能を有する構成要素を同一の参照符号で示す。
【００３９】
　（実施形態１）
　まず，図３および図４を参照しながら，第１の実施形態に係るＬＥＤ照明光源１００を説明する。図３は，ＬＥＤ照明光源１００の断面構成を模式的に示しており，図４は，ＬＥＤ照明光源１００の平面構成を模式的に示している。
【００４０】
　
ＬＥＤ照明光源１００は，基板２０と，基板２０上に二次元的に配列されたＬＥＤ素子１０と，ＬＥＤ素子１０から放射された光を反射する反射面３２を有する反射板３０とを備えている
【００４１】
　・・・（中略）・・・
【００４９】
　
本実施形態のＬＥＤ素子１０は，ＬＥＤベアチップ１２と，ＬＥＤベアチップ１２を覆う蛍光体樹脂部１４とを備えている
【００５０】
　・・・（中略）・・・
【００５７】
　
図３に示す反射板３０の開口部３５の内部を，樹脂などからなる透光性部材で埋めることができる。例えば，図５および図６に示すように，個々の開口部３５に樹脂製のレンズ５０を充填することができる
【００５８】
　
図５および図６に示すＬＥＤ照明光源１００によれば，樹脂製のレンズ５０のアレイによってＬＥＤ素子１０からの光の配光を制御することができ
【００５９】
　レンズ５０は，個々のＬＥＤ素子１０を封止するように樹脂を，開口部３５内に充填し，成型することによって作製され得る。図５に示す例では，レンズ５０から横方向に延びた樹脂の薄い層が反射板３０の上面にも存在している。このような構成を採用することにより，複数のレンズ５０が配列されたレンズアレイを一括的に形成することが容易になる。レンズ５０を構成する樹脂は，例えばエポキシ樹脂であるが，レンズ５０の材料は，樹脂製に限られず，ガラスから形成されていても良い。」
イ　ここで，第３２ページの図５は以下のものである。
ウ　上記ア，イから，引用例２には以下の発明（以下「引用発明２」という。）が記載されているものと認められる。
「ＬＥＤ照明光源１００であって，
基板２０と，基板２０上に二次元的に配列されたＬＥＤ素子１０と，ＬＥＤ素子１０から放射された光を反射する反射面３２を有する反射板３０とを備え，
　ＬＥＤ素子１０は，ＬＥＤベアチップ１２と，ＬＥＤベアチップ１２を覆う蛍光体樹脂部１４とを備え，
　反射板３０の開口部３５の内部を，樹脂などからなる透光性部材で埋めることができ，例えば，個々の開口部３５に樹脂製のレンズ５０を充填することができ，樹脂製のレンズ５０のアレイによってＬＥＤ素子１０からの光の配光を制御することができる，
ＬＥＤ照明光源１００。」
（３）引用例３に記載された事項
ア　引用例３には，図１〜図５とともに以下の記載がある
「【００１９】
　本実施形態に係る露光機用光源装置１は，図１及び図２に示すように，平面視矩形状のものであり，プリント配線基板２１上に並べ設けられた複数の紫外光ＬＥＤ２と，各紫外光ＬＥＤ２に対応して設けられた２個のレンズ，すなわち下側の第２レンズ３及び上側の第１レンズ４と，これらのレンズ３，４を上下２段に積み重ねた状態で保持するレンズ保持部材５と，を備えている。
【００２０】
　・・・（中略）・・・
【００３３】
　本実施形態においては，紫外光ＬＥＤ２の光軸Ａと，第２レンズ３の光軸Ｃと，第１レンズ４の光軸Ｂとは，図４に示すように，互いに平行であって，かつ，光軸Ｃが光軸Ａと光軸Ｂとの間に位置するよう各光軸はずらして設定されている。本実施形態では，複数の紫外光ＬＥＤ２の中心と，複数の第２レンズ３の中心と，複数の第１レンズ４の中心とが，いずれもプリント配線基板２１上の点Ｐを通ってプリント配線基板２１の表面と直交する線Ｌ上に位置しており，点Ｐから遠い紫外光ＬＥＤ２ほど，光軸Ａと光軸Ｃとの間，及び，光軸Ｃと光軸Ｂとの間を広げて，偏芯量（光軸のずれ量）が増大するように調整されている。これにより，図５に示すように，各紫外光ＬＥＤ２から射出された光は，対応して設けられたレンズ３，４によりその進行方向が線Ｌの方向に曲げられて，線Ｌ上にその中心が位置する所定領域に集光される。」
イ　上記アから，引用例３には以下の事項が記載されているといえる。
「紫外光ＬＥＤ２の光軸Ａと，第２レンズ３の光軸Ｃと，第１レンズ４の光軸Ｂとは，互いに平行であって，かつ，光軸Ｃが光軸Ａと光軸Ｂとの間に位置するよう各光軸はずらして設定されており，１実施形態では，複数の紫外光ＬＥＤ２の中心と，複数の第２レンズ３の中心と，複数の第１レンズ４の中心とが，いずれもプリント配線基板２１上の点Ｐを通ってプリント配線基板２１の表面と直交する線Ｌ上に位置しており，点Ｐから遠い紫外光ＬＥＤ２ほど，光軸Ａと光軸Ｃとの間，及び，光軸Ｃと光軸Ｂとの間を広げて，偏芯量（光軸のずれ量）が増大するように調整され，これにより，各紫外光ＬＥＤ２から射出された光は，対応して設けられたレンズ３，４によりその進行方向が線Ｌの方向に曲げられて，線Ｌ上にその中心が位置する所定領域に集光されること。」
５　当審の判断
（１）引用発明１との対比
ア　引用発明１の「プリント基板」は，本願発明１の「支持体（１１４）」であって，「前記支持体（１１４）は面状に形成されて」いるものに相当する。
イ　引用発明１の「２個以上の多数個を直線に搭載され」た「発光ダイオード素子」であって，「プリント基板上面に内部接続電極形成され，前記内部接続電極の上面には発光部として」「載置され，固着されて」いるものは，本願発明１の「支持体（１１４）上に配置されている複数のオプトエレクトロニクスコンポーネント（１１６）」に相当する。
ウ　引用発明１の「発光ダイオード素子が２個以上の多数個を直線に搭載され」ていることは，本願発明１の「前記複数のオプトエレクトロニクスコンポーネント（１１６）は一次元又は二次元のアレイ（１１８）状に配置されて」いることに相当する。
エ　引用発明１の，「前記発光ダイオード素子と同数の前記凸レンズ部」であって，「発光ダイオード素子」を「被覆する」「プリント基板上面に設けられた樹脂封止体」「により，発光ダイオード素子が発する光の光軸に対して同心円的に凸レンズ部を構成するものは，本願発明１の「前記支持体（１１４）上に被着されている少なくとも一つの光学系（１２０）」が「有」する，「前記オプトエレクトロニクスコンポーネント（１１６）に隣接している少なくとも一つの一次光学系（１２４）」であって，「各オプトエレクトロニクスコンポーネント（１１６）に，前記一次光学系（１２４）に含まれている一つの一次光学素子（１２６）が対応付けられて」いるものに相当する。
オ　引用発明１の，「発光ダイオード素子が発する光の光軸に対して同心円的に凸レンズ部を構成する」ことは，本願発明１の「前記オプトエレクトロニクスコンポーネント（１１６）及び前記一次光学素子（１２６）はそれぞれ一つの光学軸（１３４，１３６）を有し」ていることに相当する。
カ　引用発明１の，「発光ダイオード素子と」「同数の前記反射面」であって，「発光ダイオード素子が発する光の光軸に対して同心円的に凸レンズ部を構成し，更にその周囲に」「配置され」たものは，本願発明１の「前記光学系（１２０）」が，「少なくとも一つの二次光学系（１３８）を有」することに相当する。
キ　引用発明１の「チップ型発光ダイオード」は，本願発明１の「オプトエレクトロニクスモジュール（１１０）」に相当する。
ク　よって，両者は以下の点で一致する。
「オプトエレクトロニクスモジュール（１１０）において，
　前記オプトエレクトロニクスモジュール（１１０）は，支持体（１１４）と，該支持体（１１４）上に配置されている複数のオプトエレクトロニクスコンポーネント（１１６）と，前記支持体（１１４）上に被着されている少なくとも一つの光学系（１２０）とを含み，
　前記支持体（１１４）は面状に形成されており，
　前記光学系（１２０）は，前記オプトエレクトロニクスコンポーネント（１１６）に隣接している少なくとも一つの一次光学系（１２４）及び少なくとも一つの二次光学系（１３８）を有し，
　前記複数のオプトエレクトロニクスコンポーネント（１１６）は一次元又は二次元のアレイ（１１８）状に配置されており，
　各オプトエレクトロニクスコンポーネント（１１６）に，前記一次光学系（１２４）に含まれている一つの一次光学素子（１２６）が対応付けられており，
　前記オプトエレクトロニクスコンポーネント（１１６）及び前記一次光学素子（１２６）はそれぞれ一つの光学軸（１３４，１３６）を有する，
オプトエレクトロニクスモジュール（１１０）。」
ケ　一方，両者は，以下の点で相違する。
《相違点１》
　本願発明１は，「前記光学軸（１３４，１３６）は，−前記光学軸（１３４，１３６）の配向が前記アレイ（１１８）内で変化する，−前記光学軸（１３４，１３６）が相互に傾斜している，の少なくとも一方の特徴を有するように相互に配向されて」いる構成を備えるが，引用発明１は，そのような構成を備えない点。
《相違点２》
　本願発明１は，「前記二次光学系（１３８）は，前記複数のオプトエレクトロニクスコンポーネント（１１６）と，前記複数のオプトエレクトロニクスコンポーネント（１１６）に対応付けられ且つ前記一次光学系（１２４）に含まれている前記一次光学素子（１２６）とに対応付けられている二次光学素子（１４０）を含」む構成を備えるが，引用発明１は，そのような構成を備えない点。
《相違点３》
　本願発明１は，「前記一次光学素子（１２６）の方向特性が前記アレイ（１１８）内で変化する」構成を備えるが，引用発明１は，そのような構成を備えない点。
（２）判断（引用発明１に関して）
　上記各相違点について，まず相違点２について検討する。
《相違点２について》
　引用発明１においては，「各発光ダイオード素子が発する光はそれぞれの凸レンズ部と反射面で制御される」ものであるから，「凸レンズ部」及び「反射面」は，ともに，各発光ダイオード素子のそれぞれに対応して設けられているものと解される。
　よって，引用発明１に係る「発光ダイオード素子と」「同数の前記反射面」に係る各「反射面」が，本願発明１の「二次光学素子」に相当するとはいえても，当該各「反射面」は，単一の「発光ダイオード素子」及び「凸レンズ部」に対応するものであるから，引用発明１の「反射面」は，本願発明１の「前記複数のオプトエレクトロニクスコンポーネント（１１６）と，前記複数のオプトエレクトロニクスコンポーネント（１１６）に対応付けられ且つ前記一次光学系（１２４）に含まれている前記一次光学素子（１２６）とに対応付けられている二次光学素子（１４０）」とはいえない。
　そして，引用例１及び引用例３の記載を参照しても，「前記複数のオプトエレクトロニクスコンポーネント（１１６）と，前記複数のオプトエレクトロニクスコンポーネント（１１６）に対応付けられ且つ前記一次光学系（１２４）に含まれている前記一次光学素子（１２６）とに対応付けられている二次光学素子（１４０）」を構成することは，記載も示唆もない。
　したがって，引用発明１において，相違点２に係る構成を備えることは，引用例３に記載された事項を勘案しても当業者が容易になし得たことではない。
（３）まとめ（引用発明１に関して）
　よって，相違点１及び３について検討するまでもなく，本願発明１は，引用例３に記載された事項を勘案しても，引用発明１に基づいて当業者が容易に発明をすることができたとはいえない。
（４）本願の請求項２〜１７について（引用発明１に関して）
　本願の請求項２〜１７は，請求項１を直接または間接に引用するものであるから，当該各請求項に係る発明は請求項１に係る発明特定事項を含むものである。
　そして，前記（１）〜（３）で検討したとおり，本願発明１は当業者が容易に発明をすることができたものとはいえないから，本願の請求項２〜１７に係る発明についても，引用例３に記載された事項を勘案して，引用発明１に基づいて当業者が容易に発明をすることができたものとはいえない。
（５）引用発明２との対比
ア　引用発明２の「基板２０と，基板２０上に二次元的に配列されたＬＥＤ素子１０」は，本願発明１の「支持体（１１４）と，該支持体（１１４）上に配置されている複数のオプトエレクトロニクスコンポーネント（１１６）」に相当する。
イ　引用発明２の「ＬＥＤ素子１０から放射された光を反射する反射面３２を有する反射板３０」は，本願発明１の「前記支持体（１１４）上に被着されている少なくとも一つの光学系（１２０）」であって，「前記オプトエレクトロニクスコンポーネント（１１６）に隣接している少なくとも一つの一次光学系（１２４）」であって，「各オプトエレクトロニクスコンポーネント（１１６）に，前記一次光学系（１２４）に含まれている一つの一次光学素子（１２６）が対応付けられて」いるものに相当する。
ウ　引用発明２の「基板２０」であることは，本願発明１の「前記支持体（１１４）は面状に形成されて」いることに相当する。
エ　引用発明２の「樹脂製のレンズ５０」であって，「反射板３０の開口部３５の内部を，樹脂などからなる透光性部材で埋めることができ」ることで「個々の開口部３５に」「充填することができ」るものは，本願発明１の「オプトエレクトロニクスコンポーネント（１１６）に隣接している少なくとも一つの一次光学系（１２４）」であって，「各オプトエレクトロニクスコンポーネント（１１６）に，前記一次光学系（１２４）に含まれている一つの一次光学素子（１２６）が対応付けられて」いるものに相当する。
オ　引用発明２の「二次元的に配列されたＬＥＤ素子１０」は，本願発明１の「前記複数のオプトエレクトロニクスコンポーネント（１１６）は一次元又は二次元のアレイ（１１８）状に配置されて」いることに相当する。
カ　引用発明２の「ＬＥＤ照明光源１００」は，本願発明１の「オプトエレクトロニクスモジュール（１１０）」に相当する。
キ　よって，両者は以下の点で一致する。
「オプトエレクトロニクスモジュール（１１０）において，
　前記オプトエレクトロニクスモジュール（１１０）は，支持体（１１４）と，該支持体（１１４）上に配置されている複数のオプトエレクトロニクスコンポーネント（１１６）と，前記支持体（１１４）上に被着されている少なくとも一つの光学系（１２０）とを含み，
　前記支持体（１１４）は面状に形成されており，
　前記光学系（１２０）は，前記オプトエレクトロニクスコンポーネント（１１６）に隣接している少なくとも一つの一次光学系（１２４）及び少なくとも一つの二次光学系（１３８）を有し，
　前記複数のオプトエレクトロニクスコンポーネント（１１６）は一次元又は二次元のアレイ（１１８）状に配置されており，
　各オプトエレクトロニクスコンポーネント（１１６）に，前記一次光学系（１２４）に含まれている一つの一次光学素子（１２６）が対応付けられている，
オプトエレクトロニクスモジュール（１１０）。」
ク　一方，両者は，以下の点で相違する。
《相違点４》
　本願発明１は，「前記オプトエレクトロニクスコンポーネント（１１６）及び前記一次光学素子（１２６）はそれぞれ一つの光学軸（１３４，１３６）を有」するのに対し，引用発明２は，当該各光学軸を備えることが特定されていない点。
《相違点５》
　本願発明１は，「前記光学軸（１３４，１３６）は，−前記光学軸（１３４，１３６）の配向が前記アレイ（１１８）内で変化する，−前記光学軸（１３４，１３６）が相互に傾斜している，の少なくとも一方の特徴を有するように相互に配向されて」いる構成を備えるが，引用発明２は，そのような構成を備えない点。
《相違点６》
　本願発明１は，「前記二次光学系（１３８）は，前記複数のオプトエレクトロニクスコンポーネント（１１６）と，前記複数のオプトエレクトロニクスコンポーネント（１１６）に対応付けられ且つ前記一次光学系（１２４）に含まれている前記一次光学素子（１２６）とに対応付けられている二次光学素子（１４０）を含」む構成を備えるが，引用発明２は，そのような構成を備えない点。
《相違点７》
　本願発明１は，「前記一次光学素子（１２６）の方向特性が前記アレイ（１１８）内で変化する」構成を備えるが，引用発明２は，そのような構成を備えない点。
（６）判断（引用発明２に関して）
　上記各相違点について，まず相違点６について検討する。
《相違点６について》
　引用発明２は，「ＬＥＤ素子１０から放射された光を反射する反射面３２」及び「樹脂製のレンズ５０」であって，「反射板３０の開口部３５の内部を，樹脂などからなる透光性部材で埋めることができ」ることで「個々の開口部３５に」「充填することができ」るものを備えるものの，前記「反射面３２」及び「樹脂製のレンズ５０」は，いずれも各「ＬＥＤ素子１０」のそれぞれに対応して設けられているものである。
　そして，引用例２及び引用例３の記載を参照しても，「前記複数のオプトエレクトロニクスコンポーネント（１１６）と，前記複数のオプトエレクトロニクスコンポーネント（１１６）に対応付けられ且つ前記一次光学系（１２４）に含まれている前記一次光学素子（１２６）とに対応付けられている二次光学素子（１４０）」を構成することは，記載も示唆もない。
　したがって，引用発明２において，相違点６に係る構成を備えることは，引用例３に記載された事項を勘案しても当業者が容易になし得たことではない。
（７）まとめ（引用発明２に関して）
　よって，相違点４，５及び７について検討するまでもなく，本願発明１は，引用例３に記載された事項を勘案しても，引用発明２に基づいて当業者が容易に発明をすることができたとはいえない。
（８）本願の請求項２〜１７について（引用発明２に関して）
　本願の請求項２〜１７は，請求項１を直接または間接に引用するものであるから，当該各請求項に係る発明は請求項１に係る発明特定事項を含むものである。
　そして，前記（５）〜（７）で検討したとおり，本願発明１は当業者が容易に発明をすることができたものとはいえないから，本願の請求項２〜１７に係る発明についても，引用例３に記載された事項を勘案して，引用発明２に基づいて当業者が容易に発明をすることができたものとはいえない。
（９）なお，原査定に至る段階では，「一次光学素子の方向特性」の技術的意味が論点となっているから，以下においては，本願発明１における「一次光学素子（１２６）の方向特性」の技術的意味について検討する。
ａ　本願明細書の段落【００３３】〜【００３４】には以下の記載がある。
「【００３３】
　複数の一次光学素子が一つのアレイ内に配置されている場合には，特にそのアレイ内の一次光学素子の方向特性を一定にすることができるか，又は変化させることができる。
方向特性とは，本発明の枠内において全般的に，受信又は送信する電磁波，特に可視スペクトル領域及び／又は赤外線スペクトル領域及び／又は紫外線スペクトル領域にある光の角度依存性であると解される
【００３４】
　
光学素子，例えばレンズ，特にマイクロレンズの方向特性とは，特に，光学素子に対応付けられているオプトエレクトロニクスコンポーネント，例えば発光ダイオードと相互作用する光学素子の方向特性であると解される
例えば，各オプトエレクトロニクスコンポーネントの上方には一次光学系のちょうど一つのレンズが配置されている。従ってその場合には，一次光学素子の方向特性とは，オプトエレクトロニクスコンポーネント並びに対応付けられている一次光学素子から成るグループの方向特性と解される
ｂ　ここで，本願発明１においては「各オプトエレクトロニクスコンポーネントに，前記一次光学系に含まれている一つの一次光学素子が対応付けられて」いることから，上記段落【００３４】の記載によれば，本願発明１に係る「一次光学素子の方向特性」とは，「オプトエレクトロニクスコンポーネント並びに対応付けられている一次光学素子
から成るグループの方向特性
　すなわち，本願発明１に係る「一次光学素子（１２６）の方向特性」とは，単に，「一次光学素子」それ自体が備える特性を指すものではなく，「オプトエレクトロニクスコンポーネント」と，それに対応づけられている「一次光学素子」とから成るものの方向特性と解すべきものといえる。
６　むすび
　以上のとおり，本願の請求項１〜１７に係る発明は，引用例３に記載された事項を勘案して，引用発明１または引用発明２に基づいて，当業者が容易に発明をすることができたものとすることはできないから，原査定の理由によっては，本願を拒絶することはできない。
　また，他に本願を拒絶すべき理由を発見しない。
　よって，結論のとおり審決する。